【手続補正書】
【提出日】平成19年2月13日(2007.2.13)
【手続補正１】
【補正対象書類名】特許請求の範囲
【補正対象項目名】全文
【補正方法】変更
【補正の内容】
【特許請求の範囲】
【請求項１】
複数の電話機を回線接続可能な回線インターフェース手段と、ＩＰ電話の呼制御を管理するサーバーが配置されたＩＰ網との間の通信を制御するネットワーク制御手段と、前記サーバーと連携して前記電話機によるＩＰ網経由の通話を実現するＶｏＩＰ制御手段と、前記回線インターフェース手段に接続された複数の電話機とこれらの電話機に割り当てられた複数の着信番号とを対応付けて記憶した記憶手段と、を具備し、
前記ＶｏＩＰ制御手段は、前記サーバーからトランザクション開始リクエストを受信した際に前記記憶手段を参照し、前記トランザクション開始リクエストに含まれる着信番号に対応した電話機に着信要求を行い、いずれかの電話機から応答があった場合に前記サーバーに着信可能であることを通知するレスポンスを送出することを特徴とするＩＰ電話ゲートウェイ装置。
【請求項２】
前記トランザクション開始リクエストに含まれる着信番号に対応した電話機に対して、前記回線インターフェース手段に接続されているポート番号が若い電話機から順次着信要求を行うことを特徴とする請求項１記載のＩＰ電話ゲートウェイ装置。
【請求項３】
前記トランザクション開始リクエストに含まれる着信番号に対応した電話機に対して、一斉に着信要求を行うことを特徴とする請求項１記載のＩＰ電話ゲートウェイ装置。
【請求項４】
前記トランザクション開始リクエストに含まれる着信番号に対応した電話機に対する着信方法を、前記回線インターフェース手段に接続されているポート番号が若い電話機から順次着信要求を行う順次着信と、全ての電話機に一斉に着信要求を行う一斉着信とに切り替える着信方法切替手段を具備することを特徴とする請求項１記載のＩＰ電話ゲートウェイ装置。
【請求項５】
ＩＰ電話の呼制御を管理するサーバーと、前記サーバーと連携してアナログ通信機器によるＩＰ網経由の通話を実現させるＩＰ電話ゲートウェイ装置と、前記ＩＰ電話ゲートウェイ装置に接続される少なくとも１つのアナログ通信機器とからなるＩＰ電話システムであって、
前記ＩＰ電話ゲートウェイ装置は、自装置に接続されたアナログ通信機器と前記アナログ通信機器に割り当てられた着信番号とを対応付けて記憶した記憶手段と、前記サーバーからトランザクション開始リクエストを受信した際に前記記憶手段を参照し、前記トランザクション開始リクエストに含まれる着信番号に対応したアナログ通信機器に着信要求を行い、いずれかのアナログ通信機器から応答があった場合に前記サーバーに着信可能であることを通知するレスポンスを送出するＶｏＩＰ制御手段とを具備するＩＰ電話システム。
【請求項６】
少なくとも１つのアナログ通信機器を回線接続可能なインターフェースを有し、ＩＰ網上のサーバーと連携して前記アナログ通信機器によるＩＰ網経由の通話を実現させるＩＰ電話ゲートウェイ装置の着信方法であって、
前記サーバーが配置されたＩＰ網との間の通信を制御する通信制御ステップと、前記サーバーからトランザクション開始リクエストを受信し、自装置に接続されたアナログ通信機器と前記アナログ通信機器に割り当てられた複数の着信番号とを対応付けたテーブルを参照し、前記トランザクション開始リクエストに含まれる着信番号に対応したアナログ通信機器に着信要求を行い、いずれかのアナログ通信機器から応答があった場合には前記サーバーに着信可能であることを通知するレスポンスを送出するＶｏＩＰ制御ステップとを具備する着信方法。
【請求項７】
前記受信したトランザクション開始リクエストに含まれる着信番号に対応したアナログ通信機器に対して、前記インターフェースに接続されているポート番号が若いアナログ通信機器から順次着信要求を行うことを特徴とする請求項６記載の着信方法。
【請求項８】
前記受信したトランザクション開始リクエストに含まれる着信番号に対応したアナログ通信機器に対して、一斉に着信要求を行うことを特徴とする請求項６記載の着信方法。
【手続補正２】
【補正対象書類名】明細書
【補正対象項目名】００１４
【補正方法】変更
【補正の内容】
【００１４】
かかる課題を解決するため、請求項１記載のＩＰ電話ゲートウェイ装置は、複数の電話機を回線接続可能な回線インターフェース手段と、ＩＰ電話の呼制御を管理するサーバーが配置されたＩＰ網との間の通信を制御するネットワーク制御手段と、前記サーバーと連携して前記電話機によるＩＰ網経由の通話を実現するＶｏＩＰ制御手段と、前記回線インターフェース手段に接続された複数の電話機とこれらの電話機に割り当てられた複数の着信番号とを対応付けて記憶した記憶手段と、を具備し、前記ＶｏＩＰ制御手段は、前記サーバーからトランザクション開始リクエストを受信した際に前記記憶手段を参照し、前記トランザクション開始リクエストに含まれる着信番号に対応した電話機に着信要求を行い、いずれかの電話機から応答があった場合に前記サーバーに着信可能であることを通知するレスポンスを送出する構成を採る。
【手続補正３】
【補正対象書類名】明細書
【補正対象項目名】００２２
【補正方法】変更
【補正の内容】
【００２２】
請求項５記載のＩＰ電話システムは、ＩＰ電話の呼制御を管理するサーバーと、前記サーバーと連携してアナログ通信機器によるＩＰ網経由の通話を実現させるＩＰ電話ゲートウェイ装置と、前記ＩＰ電話ゲートウェイ装置に接続される少なくとも１つのアナログ通信機器とからなるＩＰ電話システムであって、前記ＩＰ電話ゲートウェイ装置は、自装置に接続されたアナログ通信機器と前記アナログ通信機器に割り当てられた着信番号とを対応付けて記憶した記憶手段と、前記サーバーからトランザクション開始リクエストを受信した際に前記記憶手段を参照し、前記トランザクション開始リクエストに含まれる着信番号に対応したアナログ通信機器に着信要求を行い、いずれかのアナログ通信機器から応答があった場合に前記サーバーに着信可能であることを通知するレスポンスを送出するＶｏＩＰ制御手段とを具備する構成を採る。
【手続補正４】
【補正対象書類名】明細書
【補正対象項目名】００２４
【補正方法】変更
【補正の内容】
【００２４】
請求項６記載の着信方法は、少なくとも１つのアナログ通信機器を回線接続可能なインターフェースを有し、ＩＰ網上のサーバーと連携して前記アナログ通信機器によるＩＰ網経由の通話を実現させるＩＰ電話ゲートウェイ装置の着信方法であって、前記サーバーが配置されたＩＰ網との間の通信を制御する通信制御ステップと、前記サーバーからトランザクション開始リクエストを受信し、自装置に接続されたアナログ通信機器と前記アナログ通信機器に割り当てられた複数の着信番号とを対応付けたテーブルを参照し、前記トランザクション開始リクエストに含まれる着信番号に対応したアナログ通信機器に着信要求を行い、いずれかのアナログ通信機器から応答があった場合には前記サーバーに着信可能であることを通知するレスポンスを送出するＶｏＩＰ制御ステップとを具備する構成を採る。
【手続補正５】
【補正対象書類名】明細書
【補正対象項目名】００２５
【補正方法】変更
【補正の内容】
【００２５】
この方法によれば、ＰＢＸのような大掛かりな装置を用いずに、ＳＩＰを用いたＩＰ電話ゲートウェイ装置内部で複数の電話番号を各々の電話機に振り分けたりグループ化したりすることができるようになる。従って、この構成によれば、コストをかけずにＩＰ電話システムを構築することができ、また、ＩＰ網に余分なパケットデータが送出されなくなる。
【手続補正６】
【補正対象書類名】明細書
【補正対象項目名】００２６
【補正方法】変更
【補正の内容】
【００２６】
請求項７記載の着信方法は、請求項６記載の発明において、前記受信したトランザクション開始リクエストに含まれる着信番号に対応したアナログ通信機器に対して、前記インターフェースに接続されているポート番号が若いアナログ通信機器から順次着信要求を行うようにする。
【手続補正７】
【補正対象書類名】明細書
【補正対象項目名】００２７
【補正方法】変更
【補正の内容】
【００２７】
この方法によれば、請求項６記載の発明の効果に加えて、前記回線インターフェース手段に接続されているポート番号が若いアナログ通信機器から順次着信要求が行われるようになるので、前記電話機の設置場所や受信者の都合に合わせてＩＰ電話システムを構築することができる。
【手続補正８】
【補正対象書類名】明細書
【補正対象項目名】００２８
【補正方法】変更
【補正の内容】
【００２８】
請求項８記載の着信方法は、請求項６記載の発明において、前記受信したトランザクション開始リクエストに含まれる着信番号に対応したアナログ通信機器に対して、一斉に着信要求を行うようにする。
【手続補正９】
【補正対象書類名】明細書
【補正対象項目名】００２９
【補正方法】変更
【補正の内容】
【００２９】
この方法によれば、請求項６記載の発明の効果に加えて、前記受信したトランザクション開始リクエストに含まれる着信番号に対応したアナログ通信機器に対して、一斉に着信要求が行われるので、通話が確立されるまでの所要時間を短くすることが可能になる。